(57)【要約】【課題】電子文書の安全性を高める文書遠隔制御システムを提供する。【解決手段】文書遠隔制御システムはサーバー、スマートモバイルデバイス及び第一クライアント端末装置を含み、サーバーにはスマートモバイルデバイスに対応する第一識別データ及び第一クライアント端末装置に対応する第二識別データを保し、スマートモバイルデバイス及び第一クライアント端末装置には遠隔制御クライアントアプリケーションプログラム及び第一カスタマークライアントアプリケーションプログラムをそれぞれインストールする。スマートモバイルデバイスは遠隔制御クライアントアプリケーションプログラムを利用して電子文書のユーザー権限を設定し、第二識別データに基づき電子文書をサーバーに送信する。第一クライアント端末装置は第一カスタマークライアントアプリケーションプログラムを利用して電子文書をサーバーからダウンロードし、ユーザー権限に基づき電子文書を制御する。【選択図】図２
2019204486.tif 000002
【特許請求の範囲】
【請求項１】
サーバーと、スマートモバイルデバイスと、少なくとも１つの第一クライアント端末装置とを含み、
前記サーバーは、第一識別データ及び少なくとも１つの第二識別データを保存し、
前記スマートモバイルデバイスは、前記第一識別データを照合できる遠隔制御クライアントアプリケーションプログラム（ＡＰＰ  Ｐｒｏｇｒａｍ）がインストールされ、前記遠隔制御クライアントアプリケーションプログラム及び前記第一識別データを利用して前記サーバーへのログインに成功すると、前記サーバーは前記第二識別データを前記スマートモバイルデバイスに返送し、前記スマートモバイルデバイスは前記遠隔制御クライアントアプリケーションプログラムを利用して電子文書（ｅｌｅｃｔｒｏｎｉｃ  ｄｏｃｕｍｅｎｔ）のユーザー権限を設定するとともに、第一共有リクエストを作成し、前記スマートモバイルデバイスは前記遠隔制御クライアントアプリケーションプログラムを利用して前記第二識別データに基づき前記電子文書及び前記第一共有リクエストを前記サーバーまで送信し、
前記少なくとも１つの第一クライアント端末装置は、前記第二識別データを照合できる第一カスタマークライアントアプリケーションプログラムがインストールされ、前記第一カスタマークライアントアプリケーションプログラム及び前記第二識別データを利用して前記前記サーバーへのログインに成功するともに前記第一共有リクエストを受信すると、前記サーバーは前記第一識別データを前記第一クライアント端末装置に返送し、前記第一クライアント端末装置は、前記第一カスタマークライアントアプリケーションプログラムを利用して前記第一識別データを照合し、前記電子文書を前記サーバーからダウンロードするとともに、前記ユーザー権限に基づき前記電子文書を制御する、文書遠隔制御システム。
【請求項２】
前記電子文書は、プレゼンテーションファイル、ポータブルドキュメントフォーマット（ＰＤＦ）文書、画像、スプレッドシート、テキスト文書又はスキャン文書である、請求項１に記載の文書遠隔制御システム。
【請求項３】
前記スマートモバイルデバイスは、前記遠隔制御クライアントアプリケーションプログラムを能動的に実行して前記電子文書の内容を表示するとともに、前記第二識別データに基づき前記遠隔制御クライアントアプリケーションプログラム、前記サーバー及び前記第一カスタマークライアントアプリケーションプログラムを利用して第一参加リクエストを作成するとともに前記第一クライアント端末装置に送信して、第一オンラインセッションを作成し、
前記第一クライアント端末装置は、前記第一参加リクエストを受信すると前記第一カスタマークライアントアプリケーションプログラムを実行して前記電子文書の前記内容を表示するとともに、前記第一識別データに基づき前記第一カスタマークライアントアプリケーションプログラム、前記サーバー及び前記遠隔制御クライアントアプリケーションプログラムを利用して第一受信メッセージを前記スマートモバイルデバイスに送信し、
前記スマートモバイルデバイスは、前記第一受信メッセージに基づき前記第二識別データを前記第一オンラインセッションに追加し、
前記電子文書の前記内容は画像を有し、前記スマートモバイルデバイスは、前記第二識別データを前記第一オンラインセッションに追加した後に第一制御コマンドに基づき対応する前記画像を表示するとともに、前記第二識別データに基づき前記遠隔制御クライアントアプリケーションプログラム、前記サーバー及び前記第一カスタマークライアントアプリケーションプログラムを利用して前記第一制御コマンドを前記第一クライアント端末装置に送信することにより、前記第一制御コマンドに対応する前記画像を表示し、前記第一制御コマンドは非画像である、請求項１に記載の文書遠隔制御システム。
【請求項４】
前記第一制御コマンドは、次ページコマンド、前ページコマンド又はスキップページコマンドである、請求項３に記載の文書遠隔制御システム。
【請求項５】
前記第一クライアント端末装置は、前記第一制御コマンドに対応する前記画像を表示した後、前記第一識別データに基づき前記第一カスタマークライアントアプリケーションプログラム、前記サーバー及び前記遠隔制御クライアントアプリケーションプログラムを利用して第一表示メッセージを前記スマートモバイルデバイスに送信する、請求項３に記載の文書遠隔制御システム。
【請求項６】
前記スマートモバイルデバイスは、表示している前記電子文書のウィンドウを閉じて前記第一オンラインセッションを終了するとき、前記第二識別データに基づき前記遠隔制御クライアントアプリケーションプログラム、前記サーバー及び前記第一カスタマークライアントアプリケーションプログラムを利用して終了メッセージを前記第一クライアント端末装置に送信し、前記第一クライアント端末装置が表示している前記電子文書のウィンドウを閉じ、前記第一クライアント端末装置は、表示している前記電子文書の前記ウィンドウを閉じた後、前記第一識別データに基づき前記第一カスタマークライアントアプリケーションプログラム、前記サーバー及び前記遠隔制御クライアントアプリケーションプログラムを利用して応答メッセージを前記スマートモバイルデバイスに送信する、請求項５に記載の文書遠隔制御システム。
【請求項７】
前記第一クライアント端末装置に電気的接続する少なくとも１つのディスプレイをさらに含み、前記第一クライアント端末装置は、前記電子文書の前記画像を前記ディスプレイの画面に映し出す、請求項５に記載の文書遠隔制御システム。
【請求項８】
第二カスタマークライアントアプリケーションプログラムがインストールされた少なくとも1つの第二クライアント端末装置をさらに含み、前記ユーザー権限がプレゼンテーションモードであるとき、前記サーバーは、少なくとも１つの第三識別データをさらに保存し、前記第二カスタマークライアントアプリケーションプログラムは前記第三識別データを照合することができ、前記第一クライアント端末装置は、前記第一カスタマークライアントアプリケーションプログラム及び前記第二識別データを利用して前記サーバーへのログインに成功すると、前記サーバーは前記第三識別データを前記第一クライアント端末装置に返送し、前記第一クライアント端末装置は前記第一カスタマークライアントアプリケーションプログラムを利用して前記電子文書の前記ユーザー権限を設定するとともに、第二共有リクエストを作成し、前記第一クライアント端末装置は前記第一カスタマークライアントアプリケーションプログラムを利用して前記第三識別データに基づき前記電子文書及び前記第二共有リクエストを前記サーバーまで送信し、前記第二クライアント端末装置が前記第二カスタマークライアントアプリケーションプログラム及び前記第三識別データを利用して前記サーバーへのログインに成功するとともに前記第二共有リクエストを受信すると、前記サーバーは前記第二識別データを前記第二クライアント端末装置に返送し、前記第二クライアント端末装置は、前記第二カスタマークライアントアプリケーションプログラムを利用して前記第二識別データを照合し、前記サーバーから前記電子文書をダウンロードし、
前記第一クライアント端末装置は、前記第一カスタマークライアントアプリケーションプログラムを実行して暗号化方式により前記電子文書の前記ユーザー権限を設定し、
前記第一クライアント端末装置は、前記第一カスタマークライアントアプリケーションプログラムを能動的に実行して前記電子文書の前記内容を表示するとともに、前記第三識別データに基づき前記第一カスタマークライアントアプリケーションプログラム、前記サーバー及び前記第二カスタマークライアントアプリケーションプログラムを利用して第二参加リクエストを作成しするとともに前記第二クライアント端末装置に送信し、第二オンラインセッションを作成し、前記第二クライアント端末装置は、前記第二参加リクエストを受信すると前記第二カスタマークライアントアプリケーションプログラムを実行して前記電子文書の前記内容を表示するとともに、前記第二識別データに基づき前記第二カスタマークライアントアプリケーションプログラム、前記サーバー及び前記第一カスタマークライアントアプリケーションプログラムを利用して第二受信メッセージを前記第一クライアント端末装置に送信し、前記第一クライアント端末装置は、前記第二受信メッセージに基づき前記第三識別データを前記第二オンラインセッションに追加し、
前記第一クライアント端末装置は、前記第三識別データを前記第二オンラインセッションに追加した後、第二制御コマンドに基づいて対応する前記画像を表示するとともに、前記第三識別データに基づいて前記第一カスタマークライアントアプリケーションプログラム、前記サーバー及び前記第二カスタマークライアントアプリケーションプログラムを利用して前記第二制御コマンドを前記第二クライアント端末装置に送信することにより、前記第二クライアント端末装置は前記第二制御コマンドに対応する前記画像を表示し、前記第二制御コマンドは非画像であり、
前記第二クライアント端末装置は、前記第二制御コマンドに対応する前記画像を表示した後、前記第二識別データに基づき前記第二カスタマークライアントアプリケーションプログラム、前記サーバー及び前記第一カスタマークライアントアプリケーションプログラムを利用して第二表示メッセージを前記第一クライアント端末装置に送信する、請求項５に記載の文書遠隔制御システム。
【請求項９】
第二カスタマークライアントアプリケーションプログラムがインストールされた少なくとも1つの第二クライアント端末装置をさらに含み、前記ユーザー権限が共有モードであるとき、前記サーバーは、少なくとも１つの第三識別データをさらに保存し、前記第二カスタマークライアントアプリケーションプログラムは前記第三識別データを照合することができ、前記第一クライアント端末装置は、前記第一カスタマークライアントアプリケーションプログラム及び前記第二識別データを利用して前記サーバーへのログインに成功すると、前記サーバーは前記第三識別データを前記第一クライアント端末装置に返送し、前記第一クライアント端末装置は前記第一カスタマークライアントアプリケーションプログラムを利用して前記電子文書の前記ユーザー権限を設定するとともに、第二共有リクエストを作成し、前記第一クライアント端末装置は前記第一カスタマークライアントアプリケーションプログラムを利用して前記第三識別データに基づき前記電子文書及び前記第二共有リクエストを前記サーバーまで送信し、前記第二クライアント端末装置が前記第二カスタマークライアントアプリケーションプログラム及び前記第三識別データを利用して前記サーバーへのログインに成功するとともに前記第二共有リクエストを受信すると、前記サーバーは前記第二識別データを前記第二クライアント端末装置に返送し、前記第二クライアント端末装置は、前記第二カスタマークライアントアプリケーションプログラムを利用して前記第二識別データを照合し、前記サーバーから前記電子文書をダウンロードする、請求項５に記載の文書遠隔制御システム。
【請求項１０】
前記ユーザー権限が読み取り専用モードであるとき、前記第一クライアント端末装置は、前記第一カスタマークライアントアプリケーションプログラムを実行して前記電子文書の前記内容を随時表示し
前記ユーザー権限がセッション専用モードであり、かつ前記第一オンラインセッションが終了するとき、前記第一カスタマークライアントアプリケーションプログラムは、前記第一クライアント端末装置中の前記電子文書を自動的に削除する、請求項５に記載の文書遠隔制御システム。
【請求項１１】
前記第二クライアント端末装置は、デスクトップ型コンピューター、スマートフォン、タブレット型コンピューター又はラップトップ型コンピューターであり、前記第一クライアント端末装置は、デスクトップ型コンピューター、スマートフォン、タブレット型コンピューター又はラップトップ型コンピューターである、請求項８に記載の文書遠隔制御システム。
【請求項１２】
前記遠隔制御クライアントアプリケーションプログラム、前記第一カスタマークライアントアプリケーションプログラム及び前記第二カスタマークライアントアプリケーションプログラムは、いずれもチャットアプリケーションプログラムである、請求項８に記載の文書遠隔制御システム。
【請求項１３】
前記第一オンラインセッションを行う時、前記チャットアプリケーションプログラムは同時にチャット機能を実行する、請求項１２に記載の文書遠隔制御システム。
【請求項１４】
前記第一オンラインセッションを行う時、前記遠隔制御クライアントアプリケーションプログラム又は前記第一カスタマークライアントアプリケーションプログラムは、同時に対応する前記電子文書のウィンドウのサイズを調整する、請求項１２に記載の文書遠隔制御システム。
【請求項１５】
前記ユーザー権限には複数のモードがあり、前記複数のモードには異なる優先権があり、前記電子文書の異なる前記優先権は相互に上書き（ｏｖｅｒｗｒｉｔｅ）できる、請求項１に記載の文書遠隔制御システム。
【請求項１６】
前記ユーザー権限には複数のモードがあり、前記複数のモードには異なる優先権があり、低い方の前記優先権のみで高い方の前記優先権を置換できる、請求項１に記載の文書遠隔制御システム。
【請求項１７】
前記ユーザー権限には複数のモードがあり、前記複数のモードには異なる優先権があり、かつ前記第一クライアント端末装置は、前記第一カスタマークライアントアプリケーションプログラムを利用して最初にダウンロードした前記電子文書の前記優先権を維持する、請求項１に記載の文書遠隔制御システム。
【請求項１８】
前記スマートモバイルデバイスは、前記遠隔制御クライアントアプリケーションプログラムを実行して前記第一識別データ、前記第二識別データ、及び前記スマートモバイルデバイスが前記電子文書を送信したアップロード時間を暗号化して前記電子文書中に埋め込む、請求項１に記載の文書遠隔制御システム。
【請求項１９】
前記スマートモバイルデバイスは、前記遠隔制御クライアントアプリケーションプログラムを実行して前記電子文書の生存時間（ｔｉｍｅ  ｔｏ  ｌｉｖｅ，ＴＴＬ）を設定する、請求項１に記載の文書遠隔制御システム。
【請求項２０】
前記スマートモバイルデバイスは、前記遠隔制御クライアントアプリケーションプログラムを実行して暗号化方式により前記電子文書の前記ユーザー権限を設定する、請求項１に記載の文書遠隔制御システム。
【発明の詳細な説明】
【技術分野】
【０００１】
本発明は、制御システムに関し、特に、文書遠隔制御システムに関する。
【背景技術】
【０００２】
通信技術の進歩に伴い、人と人との間のメッセージ交流は、空間の隔たりによる制限を受けることがなくなり、両者の距離が遠く離れていても、さまざまな通信技術及び関連の通信設備によりコミュニケーションを行うことができる。かつて通信技術が発達していなかった頃は、会議の参加者自らが会議予定の場所に赴いて参加する必要があった。今では、会議の参加者の声や画像はすべて電子装置によりデジタル信号に変換してデータストリームとしてネットワーク技術により他の参加者に送信することができる。各種通信技術及びプロトコルにより会議方式にかなりの柔軟性がもたらされることになる。
【０００３】
電子文書の中にはインターネットにより会議参加者のスマートフォンに送信できるものがあるが、電子文書が機密文書である場合、いかなる人にも使用されてはならない。しかし、電子文書は通信ソフトウェアにより送信される時、通信ソフトウェアが電子文書の使用権限を設定できなければ、通信ソフトウェアを有する者なら誰でも電子文書を取得して編集できてしまう。仮に他のソフトウェアを使用して電子文書を暗号化した場合、ユーザーはパスワードがないと復号できない。言い換えると、このパスワードも通信ソフトウェアで送信し、漏洩のおそれがあるので、電子文書の安全性は低下する。
【０００４】
したがって、上述した欠点に対し、本発明の文書遠隔制御システムを提案し、従来技術が抱える問題を解決する。
【発明の概要】
【発明が解決しようとする課題】
【０００５】
本発明の主な目的は、スマートモバイルデバイスにインストールされた遠隔制御クライアントアプリケーションプログラムを利用して電子文書のユーザー権限及びその優先権を設定し、電子文書の安全性を高める、文書遠隔制御システムを提供することである。
【課題を解決するための手段】
【０００６】
上述の目的を達成するために、本発明が提供する文書遠隔制御システムは、サーバー、スマートモバイルデバイス及び少なくとも１つの第一クライアント端末装置を含む。サーバーは、第一識別データ及び少なくとも１つの第二識別データを保存する。スマートモバイルデバイスには、第一識別データを照合できる遠隔制御クライアントアプリケーションプログラム（ＡＰＰ  Ｐｒｏｇｒａｍ）がインストールされる。スマートモバイルデバイスが遠隔制御クライアントアプリケーションプログラム及び第一識別データを利用してサーバーへのログインに成功すると、サーバーは第二識別データをスマートモバイルデバイスに返送する。スマートモバイルデバイスは、遠隔制御クライアントアプリケーションプログラムを利用して電子文書（ｅｌｅｃｔｒｏｎｉｃ  ｄｏｃｕｍｅｎｔ）のユーザー権限を設定するとともに第一共有リクエストを作成し、第二識別データに基づき遠隔制御クライアントアプリケーションプログラムを利用して電子文書及び第一共有リクエストをサーバーまで送信する。第一クライアント端末装置には、第二識別データを照合できる第一カスタマークライアントアプリケーションプログラムがインストールされる。第一クライアント端末装置は、第一カスタマークライアントアプリケーションプログラム及び第二識別データを利用してサーバーへのログインに成功するとともに第一共有リクエストを受信すると、サーバーは第一識別データを第一クライアント端末装置に返送する。第一クライアント端末装置は、第一カスタマークライアントアプリケーションプログラムを利用して第一識別データを照合すると、ユーザー権限に基づき電子文書をサーバーからダウンロードするとともに電子文書を制御する。
【０００７】
本発明の実施例において、電子文書は、プレゼンテーションファイル、ポータブルドキュメントフォーマット（ＰＤＦ）文書、画像、スプレッドシート、テキスト文書又はスキャン文書である。
【０００８】
本発明の実施例において、スマートモバイルデバイスは、遠隔制御クライアントアプリケーションプログラムを能動的に実行して電子文書の内容を表示するとともに、第二識別データに基づき遠隔制御クライアントアプリケーションプログラム、サーバー及び第一カスタマークライアントアプリケーションプログラムを利用して第一参加リクエストを第一クライアント端末装置に送信し、第一オンラインセッションを作成する。第一クライアント端末装置は、第一参加リクエストを受信するとき、第一カスタマークライアントアプリケーションプログラムを実行して電子文書の内容を表示するとともに、第一識別データに基づき第一カスタマークライアントアプリケーションプログラム、サーバー及び遠隔制御クライアントアプリケーションプログラムを利用して第一受信メッセージをスマートモバイルデバイスに送信し、スマートモバイルデバイスは、第一受信メッセージに基づき第二識別データを第一オンラインセッションに追加する。電子文書の内容は画像を有する。スマートモバイルデバイスは、第二識別データを第一オンラインセッションに追加した後、第一制御コマンドに基づき対応する画像を表示するとともに、第二識別データに基づき遠隔制御クライアントアプリケーションプログラム、サーバー及び第一カスタマークライアントアプリケーションプログラムを利用して第一制御コマンドを第一クライアント端末装置に送信し、第一クライアント端末装置は第一制御コマンドに対応する画像を表示し、第一制御コマンドは非画像である。
【０００９】
本発明の実施例において、第一制御コマンドは、次ページコマンド、前ページコマンド又はスキップページコマンドである。
【００１０】
本発明の実施例において、第一クライアント端末装置は、第一制御コマンドに対応する画像を表示した後、第一識別データに基づき第一カスタマークライアントアプリケーションプログラム、サーバー及び遠隔制御クライアントアプリケーションプログラムを利用して第一表示メッセージをスマートモバイルデバイスに送信する。
【００１１】
本発明の実施例において、スマートモバイルデバイスは、表示している電子文書のウィンドウを閉じて第一オンラインセッションを終了するとき、第二識別データに基づき遠隔制御クライアントアプリケーションプログラム、サーバー及び第一カスタマークライアントアプリケーションプログラムを利用して終了メッセージを第一クライアント端末装置に送信し、第一クライアント端末装置が表示している電子文書のウィンドウを閉じる。第一クライアント端末装置は、表示している電子文書のウィンドウを閉じた後、第一識別データに基づき第一カスタマークライアントアプリケーションプログラム、サーバー及び遠隔制御クライアントアプリケーションプログラムを利用して応答メッセージをスマートモバイルデバイスに送信する。
【００１２】
本発明の実施例において、文書遠隔制御システムは、第一クライアント端末装置に電気的接続する少なくとも１つのディスプレイをさらに含み、第一クライアント端末装置は電子文書の画像をディスプレイの画面に映し出す。
【００１３】
本発明の実施例において、文書遠隔制御システムは、第二カスタマークライアントアプリケーションプログラムがインストールされた少なくとも1つの第二クライアント端末装置をさらに含み、ユーザー権限がプレゼンテーション（ｐｒｅｓｅｎｔａｔｉｏｎ）モードであるとき、サーバーは、少なくとも１つの第三識別データをさらに保存し、第二カスタマークライアント端末装置は第三識別データを照合することができ、第一クライアント端末装置は、第一カスタマークライアントアプリケーションプログラム及び第二識別データを利用してサーバーへのログインに成功すると、サーバーは第三識別データを第一クライアント端末装置に返送し、前記第一クライアント端末装置は、前記第一カスタマークライアントアプリケーションプログラムを利用して電子文書のユーザー権限を設定するとともに第二共有リクエストを作成し、第一カスタマークライアントアプリケーションプログラムを利用して第三識別データに基づき電子文書及び第二共有リクエストをサーバーまで送信し、第二クライアント端末装置が第二カスタマークライアントアプリケーションプログラム及び第三識別データを利用してサーバーへのログインに成功するとともに第二共有リクエストを受信すると、サーバーは第二識別データを第二クライアント端末装置に返送し、第二クライアント端末装置は、第二カスタマークライアントアプリケーションプログラムを利用して第二識別データを照合し、サーバーから電子文書をダウンロードする。第一クライアント端末装置は、第一カスタマークライアントアプリケーションプログラムを実行して暗号化方式により電子文書のユーザー権限を設定する。第一クライアント端末装置は、第一カスタマークライアントアプリケーションプログラムを能動的に実行して電子文書の内容を表示するとともに、第三識別データに基づき第一カスタマークライアントアプリケーションプログラム、サーバー及び第二制御アプリケーションプログラムを利用して第二参加リクエストを第二クライアント端末装置に送信し、第二オンラインセッションを作成する。第二クライアント端末装置は、第二参加リクエストを受信するとき、第二カスタマークライアントアプリケーションプログラムを実行して電子文書の内容を表示するとともに、第二識別データに基づき第二カスタマークライアントアプリケーションプログラム、サーバー及び第一カスタマークライアントアプリケーションプログラムを利用して第二受信メッセージを第一クライアント端末装置に送信し、第一クライアント端末装置は、第二受信メッセージに基づき第三識別データを第二オンラインセッションに追加する。第一クライアント端末装置は、第三識別データを第二オンラインセッションに追加した後、第二制御コマンドに基づいて対応する画像を表示するとともに、第三識別データに基づいて第一カスタマークライアントアプリケーションプログラム、サーバー及び第二カスタマークライアントアプリケーションプログラムを利用して第二制御コマンドを第二クライアント端末装置に送信し、第二クライアント端末装置により第二制御コマンドに対応する画像を表示し、第二制御コマンドは非画像である。第二クライアント端末装置は、第二制御コマンドに��応する画像を表示した後、第二識別データに基づき第二カスタマークライアントアプリケーションプログラム、サーバー及び第一カスタマークライアントアプリケーションプログラムを利用して第二表示メッセージを第一クライアント端末装置に送信する。
【００１４】
本発明の実施例において、文書遠隔制御システムは第二カスタマークライアントアプリケーションプログラムがインストールされた少なくとも1つの第二クライアント端末装置をさらに含み、ユーザー権限が共有モードであるとき、サーバーは、少なくとも１つの第三識別データをさらに保存し、第二カスタマークライアントアプリケーションプログラムは第三識別データを照合することができ、第一クライアント端末装置が第一カスタマークライアントアプリケーションプログラム及び第二識別データを利用してサーバーへのログインに成功すると、サーバーは第三識別データを第一クライアント端末装置に返送し、第一クライアント端末装置は第一カスタマークライアントアプリケーションプログラムを利用して電子文書のユーザー権限を設定するとともに第二共有リクエストを作成し、第一クライアント端末装置は第一カスタマークライアントアプリケーションプログラムを利用して第三識別データに基づき電子文書及び第二共有リクエストをサーバーまで送信し、第二クライアント端末装置が第二カスタマークライアントアプリケーションプログラム及び第三識別データを利用してサーバーへのログインに成功するとともに第二共有リクエストを受信すると、サーバーは第二識別データを第二クライアント端末装置に返送し、第二クライアント端末装置は、第二カスタマークライアントアプリケーションプログラムを利用して第二識別データを照合し、サーバーから電子文書をダウンロードする。
【００１５】
本発明の実施例において、ユーザー権限が読み取り専用モードであるとき、第一クライアント端末装置は、第一カスタマークライアントアプリケーションプログラムを実行して電子文書の内容を随時表示し、ユーザー権限がセッション専用（ｓｅｓｓｉｏｎ  ｏｎｌｙ）モードであり、かつ第一オンラインセッションが終了するとき、第一カスタマークライアントアプリケーションプログラムは、第一クライアント端末装置中の電子文書を自動的に削除する。
【００１６】
本発明の実施例において、第二クライアント端末装置は、デスクトップ型コンピューター、スマートフォン、タブレット型コンピューター又はラップトップ型コンピューターであり、第一クライアント端末装置は、デスクトップ型コンピューター、スマートフォン、タブレット型コンピューター又はラップトップ型コンピューターである。
【００１７】
本発明の実施例において、遠隔制御クライアントアプリケーションプログラム、第一カスタマークライアントアプリケーションプログラム及び第二カスタマークライアントアプリケーションプログラムは、いずれもチャットアプリケーションプログラムである。
【００１８】
本発明の実施例において、第一オンラインセッションを行う時、チャットアプリケーションプログラムは同時にチャット機能を実行する。
【００１９】
本発明の実施例において、第一オンラインセッションを行う時、遠隔制御クライアントアプリケーションプログラム又は第一カスタマークライアントアプリケーションプログラムは、同時に対応する電子文書のウィンドウのサイズを調整する。
【００２０】
本発明の実施例において、ユーザー権限には複数のモードがあり、これら複数のモードには異なる優先権があり、電子文書の異なる優先権は相互に上書き（ｏｖｅｒｗｒｉｔｅ）できる。
【００２１】
本発明の実施例において、ユーザー権限には複数のモードがあり、これら複数のモードには異なる優先権があり、低い方の優先権のみで高い方の優先権を置換できる。
【００２２】
本発明の実施例において、ユーザー権限には複数のモードがあり、これら複数のモードには異なる優先権があり、かつ第一クライアント端末装置は、第一カスタマークライアントアプリケーションプログラムを利用して最初にダウンロードした電子文書の優先権を維持する。
【００２３】
本発明の実施例において、スマートモバイルデバイスは、遠隔制御クライアントアプリケーションプログラムを実行して記第一識別データ、第二識別データ、及びスマートモバイルデバイスが電子文書をサーバーまで送信したアップロード時間を暗号化方式により電子文書中に埋め込む。
【００２４】
本発明の実施例において、スマートモバイルデバイスは、遠隔制御クライアントアプリケーションプログラムを実行して電子文書の生存時間（ｔｉｍｅ  ｔｏ  ｌｉｖｅ，ＴＴＬ）を設定する。
【００２５】
本発明の実施例において、スマートモバイルデバイスは、遠隔制御クライアントアプリケーションプログラムを実行して暗号化方式により電子文書のユーザー権限を設定する。
【発明の効果】
【００２６】
本発明によれば、遠隔制御クライアントアプリケーションプログラムを利用して電子文書のユーザー権限及びその優先権を設定し、電子文書の安全性を高めることができる。
【図面の簡単な説明】
【００２７】
【図１】本発明の文書遠隔制御システムのブロック図である。
【図２】本発明のスマートモバイルデバイスが電子文書を共有するフローチャートである。
【図３】本発明のスマートモバイルデバイスがオンラインセッションを開始してから終了するまでのフローチャートである。
【図４】本発明の第一クライアント端末装置が電子文書を共有するフローチャートである。
【図５】本発明の第一クライアント端末装置がオンラインセッションを開始してから終了するまでのフローチャートである。
【発明を実施するための形態】
【００２８】
本発明の構造的特徴及びその効果のさらなる理解と認識のため、好ましい実施例の図と併せて以下に詳細を説明する。
【００２９】
本発明の文書遠隔制御システムを以下に説明するので図１を参照されたい。本発明の文書遠隔制御システムは、サーバー１０、スマートモバイルデバイス（ｍｏｂｉｌｅ  ｄｅｖｉｃｅ）１２、少なくとも１つの第一クライアント端末装置１４、少なくとも１つの第二クライアント端末装置１６、少なくとも１つのディスプレイ１８及び少なくとも１つのディスプレイ２０を含む。この実施例では、第一クライアント端末装置１４、第二クライアント端末装置１６、ディスプレイ１８及びディスプレイ２０の数量はそれぞれ１つを例とする。サーバー１０は、第一識別データ、少なくとも１つの第二識別データ及び少なくとも１つの第三識別データを保存し、第二識別データ及び第三識別データの数量もそれぞれ１つを例とする。第一識別データ、第二識別データ及び第三識別データは、例えば電子メールアカウントであるが、これに限定されない。スマートモバイルデバイス１２は、サーバー１０に無線接続する。スマートモバイルデバイス１２には第一識別データを照合できる遠隔制御クライアントアプリケーションプログラム（ＡＰＰ  Ｐｒｏｇｒａｍ）がインストールされる。第一クライアント端末装置１４は、サーバー１０に信号接続し、第二識別データを照合できる第一カスタマークライアントアプリケーションプログラムがインストールされる。例えば、第一クライアント端末装置１４は、サーバー１０に有線接続又は無線接続する。サーバー１０は第二クライアント端末装置１６に信号接続し、第二クライアント端末装置１６には第三識別データを照合できる第二カスタマークライアントアプリケーションプログラムがインストールされる。例えば、第二クライアント端末装置１６は、サーバー１０に有線接続又は無線接続する。具体的にこの実施例では、遠隔制御クライアントアプリケーションプログラム、第一カスタマークライアントアプリケーションプログラム及び第二カスタマークライアントアプリケーションプログラムは、チャットアプリケーションプログラムを例とする。スマートモバイルデバイス１２はデスクトップ型コンピューター、スマートフォン、タブレット型コンピューター又はラップトップ型コンピューターであり、第一クライアント端末装置１４は、スマートモバイルデバイス、デスクトップ型コンピューター、スマートフォン、タブレット型コンピューター又はラップトップ型コンピューターであり、第二クライアント端末装置１６は、スマートモバイルデバイス、デスクトップ型コンピューター、スマートフォン、タブレット型コンピューター又はラップトップ型コンピューターである。言い換えると、スマートモバイルデバイス１２、第一クライアント端末装置１４及び第二クライアント端末装置１６はいずれも、アプリケーションプログラムをインストールするプロセッサー、データを保存する少なくとも１つのメモリー、サーバー１０に接続する通信インターフェイス、及びデータを表示するディスプレイパネルを備え、通信インターフェイスは有線通信インターフェイス又は無線通信インターフェイスであり、かつプロセッサーはメモリー、通信インターフェイス及びディスプレイパネルに電気的接続する。また、ディスプレイ１８は、第一クライアント端末装置１４に電気��接続し、ディスプレイ２０は第二クライアント端末装置１６に電気的接続する。
【００３０】
スマートモバイルデバイス１２が電子文書を共有する流れを以下に紹介するので、図１と図２を同時に参照されたい。まず、ステップＳ１０が示すように、スマートモバイルデバイス１２は、遠隔制御クライアントアプリケーションプログラム及び第一識別データを利用してサーバー１０へのログインに成功すると、サーバー１０は第二識別データをスマートモバイルデバイス１２に返送する。次に、ステップＳ１２が示すように、スマートモバイルデバイス１２は、遠隔制御クライアントアプリケーションプログラムを利用して暗号化方式により電子文書（ｅｌｅｃｔｒｏｎｉｃ  ｄｏｃｕｍｅｎｔ）のユーザー権限を設定するとともに第一共有ファイルを作成し、遠隔制御クライアントアプリケーションプログラムを実行して電子文書の生存時間（ｔｉｍｅ  ｔｏ  ｌｉｖｅ，ＴＴＬ）を設定し、かつ第二識別データに基づき遠隔制御クライアントアプリケーションプログラムを利用して電子文書及び第一共有リクエストをサーバー１０まで送信する。同時に、スマートモバイルデバイス１２は、遠隔制御クライアントアプリケーションプログラムを実行して暗号化方式により最新設定のユーザー権限のバージョン、第一識別データ、第二識別データ及びスマートモバイルデバイス１２が電子文書をサーバー１０まで送信したアップロード時間を電子文書中に埋め込み、ユーザーが電子文書のソースまで遡れるようにする。また、生存時間は永久的又は一時的に設定されることができる。この電子文書は、プレゼンテーションファイル（ｐｒｅｓｅｎｔａｔｉｏｎ  ｆｉｌｅ）、ポータブルドキュメントフォーマット（ｐｏｒｔａｂｌｅ  ｄｏｃｕｍｅｎｔ  ｆｏｒｍａｔ，ＰＤＦ）文書、画像、スプレッドシート（ｓｐｒｅａｄｓｈｅｅｔ）、テキスト文書（ｔｅｘｔ  ｄｏｃｕｍｅｎｔ）又はスキャン文書（ｓｃａｎｎｅｄ  ｄｏｃｕｍｅｎｔ）であってもよい。さらに、ステップＳ１４が示すように、第一クライアント端末装置１４は第一カスタマークライアントアプリケーションプログラム及び第二識別データを利用してサーバー１０へのログインに成功するとともに第一共有リクエストを受信すると、サーバー１０は第一識別データを第一クライアント端末装置１４に返送する。最後に、ステップＳ１６で示すように、第一クライアント端末装置１４は、第一カスタマークライアントアプリケーションプログラムを利用して第一識別データを照合し、電子文書をサーバー１０からダウンロードするとともに、ユーザー権限に基づき電子文書を制御する。電子文書が第一クライアント端末装置１４に保存される時間は、生存時間により決定できる。第一カスタマークライアントアプリケーションプログラムは、生存時間が終了したら電子文書を自動的に削除する。生存時間が永久的である場合、電子文書は、第一クライアント端末装置１４に永久的に保存される。
【００３１】
スマートモバイルデバイス１２がセッションを開始（ｉｎｉｔｉａｔｅ）してから終了（ｔｅｒｍｉｎａｔｅ）するまでの流れを以下に紹介するので、図１と図３を同時に参照されたい。まず、ステップＳ１８が示すように、スマートモバイルデバイス１２は、遠隔制御クライアントアプリケーションプログラムを能動的に実行して電子文書の内容を表示するとともに、第二識別データに基づき遠隔制御クライアントアプリケーションプログラム、サーバー１０及び第一カスタマークライアントアプリケーションプログラムを利用して第一参加リクエストを作成して第一クライアント端末装置１４に送信し、第一オンラインセッションを作成する。次に、ステップＳ２０が示すように、第一クライアント端末装置１４は、第一参加リクエストを受信するとき、第一カスタマークライアントアプリケーションプログラムを実行して電子文書の内容を表示するとともに、第一識別データに基づき第一カスタマークライアントアプリケーションプログラム、サーバー１０及び遠隔制御クライアントアプリケーションプログラムを利用して第一受信メッセージをスマートモバイルデバイス１２に送信し、スマートモバイルデバイス１２は、第一受信メッセージに基づき第二識別データを第一オンラインセッションに追加する。電子文書の内容は複数の画像を有するので、スマートモバイルデバイス１２は、第二識別データを第一オンラインセッションに追加した後、ステップＳ２２を実行する。ステップＳ２２が示すように、スマートモバイルデバイス１２は、第一制御コマンドに基づき対応する電子文書の画像を表示するとともに、第二識別データに基づき遠隔制御クライアントアプリケーションプログラム、サーバー１０及び第一カスタマークライアントアプリケーションプログラムを利用して第一制御コマンドを第一クライアント端末装置１４に送信し、第一クライアント端末装置は第一制御コマンドに対応する電子文書の画像を表示する。例えば、第一制御コマンドは、次ページコマンド、前ページコマンド又はスキップページコマンドであってもよい。この第一制御コマンドは非画像であるため、スマートモバイルデバイス１２は、低帯域幅を前提として第一クライアント端末装置１４が表示している画像を変更できる。このようにして、スマートモバイルデバイス１２及び第一クライアント端末装置１４は、電子文書の画像を同期表示することができる。また、第一クライアント端末装置１４は、電子文書の画像をディスプレイ１８の画面に映し出し、複数の人に見せることができる。遠隔制御クライアントアプリケーションプログラムと第一カスタマークライアントアプリケーションプログラムはいずれもチャットアプリケーションプログラムであるため、第一オンラインセッションを行う時、遠隔制御クライアントアプリケーションプログラム又は第一カスタマークライアントアプリケーションプログラムはチャット機能を同時に実行できる。さらに、ユーザーのスマートモバイルデバイス１２又は第一クライアント端末装置１４のその他機能の使用に影響が出ないように、遠隔制御クライアントアプリケーションプログラム又は第一カスタマークライアントアプリケーションプログラムは、第一オンラインセッションを行う時に対応する電子文書のウィンドウサイズを同時に調整することができる。第一クライアント端末装置１４は、第一制御コマンドに対応する画像を表示した後、ステップＳ２４を実行する。ステップＳ２４では、第一クライアント端末装置１４は、第一識別データに基づき第一カスタマークライアントアプリケーションプログラム、サーバー１０及び遠隔制御クライアントアプリケーションプログラムを利用して第一表示メッセージをスマートモバイルデバイス１２に送信し、第一クライアント端末装置１４がその時表示している画像をスマートモバイルデバイス１２に通知して、第一オンラインセッションがスムーズに進むようにする。続いて、ステップＳ２６が示すように、スマートモバイルデバイス１２は、その表示している電子文書のウィンドウを閉じて第一オンラインセッションを終了するとき、第二識別データに基づいて遠隔制御クライアントアプリケーションプログラム、サーバー１０及び第一カスタマークライアントアプリケーションプログラムを利用して終了メッセージを第一クライアント端末装置１４に送信して、第一クライアント端末装置１４が表示している電子文書のウィンドウを閉じる。第一クライアント端末装置１４は、その表示している電子文書のウィンドウを閉じた後、ステップＳ２８を実行する。ステップＳ２８が示すように、第一クライアント端末装置１４は、第一識別データに基づき第一カスタマークライアントアプリケーションプログラム、サーバー１０及び遠隔制御クライアントアプリケーションプログラムを利用して応答メッセージをスマートモバイルデバイス１２に送信する。
【００３２】
ユーザー権限には複数のモードがあり、これらのモードには異なる優先権がある。例えば、ユーザー権限にはプレゼンテーションモード、共有モード、読み取り専用モード又はセッション専用モードがあってもよい。ここで、プレゼンテーションモードの優先権は共有モードの優先権より高く、共有モードの優先権は読み取り専用モードの優先権より高く、読み取り専用モードの優先権はセッション専用モードの優先権より高い。
【００３３】
スマートモバイルデバイス１２が電子文書のユーザー権限をプレゼンテーションモードに設定した場合、第一クライアント端末装置１４は次の操作を実行できる。まず、第一クライアント端末装置１４が電子文書を共有する流れについて以下に紹介する。図１と図４を同時に参照されたい。始めに、ステップＳ３０が示すように、第一クライアント端末装置１４は、第一カスタマークライアントアプリケーションプログラム及び第二識別データを利用してサーバー１０へのログインに成功すると、サーバー１０は第三識別データを第一クライアント端末装置１４に返送する。次に、ステップＳ３２が示すように、第一クライアント端末装置１４は、第一カスタマークライアントアプリケーションプログラムを利用して電子文書のユーザー権限を設定して暗号化するとともに、第二共有リクエストを作成し、第三識別データに基づき第一カスタマークライアントアプリケーションプログラムを利用して電子文書及び第二共有リクエストをサーバー１０まで送信する。同時に、第一クライアント端末装置１４は、第一カスタマークライアントアプリケーションプログラムを実行して暗号化方式により、最新設定のユーザー権限のバージョン、第二識別データ、第三識別データ、及び第一クライアント端末装置１４が電子文書をサーバー１０まで送信したアップロード時間を電子文書に埋め込み、ユーザーが電子文書のソースまで遡れるようにする。第一クライアント端末装置１４は、ユーザー権限の高い方の優先権を低い方の優先権に変更することのみ可能である。元のユーザー権限はプレゼンテーションモードであるため、ユーザー権限を変更せず維持する以外に、第一クライアント端末装置１４は、プレゼンテーションモードを共有モード、読み取り専用モード又はセッション専用モードに変更することができる。さらに、ステップＳ３４が示すように、第二クライアント端末装置１６が第二カスタマークライアントアプリケーションプログラム及び第三識別データを利用しサーバー１０へのログインに成功するとともに第二共有リクエストを受信すると、サーバー１０は第二識別データを第二クライアント端末装置１６に返送する。最後にステップＳ３６が示すように、第二クライアント端末装置１６は、第二カスタマークライアントアプリケーションプログラムを利用して第二識別データを照合し、サーバー１０から電子文書をダウンロードする。電子文書が第二クライアント端末装置１６に保存される時間は、生存時間によって決定される。
【００３４】
第一クライアント端末装置１４がオンラインセッションを開始してから終了するまでの流れを以下に紹介するので、図１と図５を同時に参照されたい。まず、ステップＳ３８が示すように、第一クライアント端末装置１４は、第一カスタマークライアントアプリケーションプログラムを能動的に実行して電子文書の内容を表示するとともに、第三識別データに基づき第一カスタマークライアントアプリケーションプログラム、サーバー１０及び第二カスタマークライアントアプリケーションプログラムを利用して第二参加リクエストを第二クライアント端末装置１６に送信して、第二オンラインセッションを作成する。次に、ステップＳ４０が示すように、第二クライアント端末装置１６は、第二参加リクエストを受信すると、第二カスタマークライアントアプリケーションプログラムを実行して電子文書の内容を表示するとともに、第二識別データに基づき第二カスタマークライアントアプリケーションプログラム、サーバー１０及び第一カスタマークライアントアプリケーションプログラムを利用して第二受信メッセージを第一クライアント端末装置１４に送信し、第一クライアント端末装置１４は、第二受信メッセージに基づき第三識別データを第二オンラインセッションに追加する。第一クライアント端末装置１４は、第三識別データを第二オンラインセッションに追加した後、ステップＳ４２を実行する。ステップＳ４２が示すように、第一クライアント端末装置１４は、第二制御コマンドに基づき対応する電子文書の画像を表示するとともに、第三識別データに基づき第一カスタマークライアントアプリケーションプログラム、サーバー１０及び第二カスタマークライアントアプリケーションプログラムを利用して第二制御コマンドを第二クライアント端末装置１６に送信し、これにより第二制御コマンドに対応する電子文書の画像を表示する。例えば、第二制御コマンドは、次ページコマンド、前ページコマンド又はスキップページコマンドであってもよい。この第二制御コマンドは非画像であるため、第一クライアント端末装置１４は、低帯域幅を前提として第二クライアント端末装置１６が表示している画像を変更できる。このようにして、第一クライアント端末装置１４及び第二クライアント端末装置１６は、電子文書の画像を同期表示するこができる。また、第二クライアント端末装置１６は、電子文書の画像をディスプレイ２０の画面に映し出し、複数の人に見せることができる。第一カスタマークライアントアプリケーションプログラムと第二カスタマークライアントアプリケーションプログラムはいずれもチャットアプリケーションプログラムであるため、第二オンラインセッションを行う時、第一カスタマークライアントアプリケーションプログラム又は第二カスタマークライアントアプリケーションプログラムはチャット機能を同時に実行できる。さらに、ユーザーの第一クライアント端末装置１４又は第二クライアント端末装置１６のその他機能の使用に影響が出ないように、第一カスタマークライアントアプリケーションプログラム又は第二カスタマークライアントアプリケーションプログラムは、第二オンラインセッションを行う時に対応する電子文書のウィンドウサイズを同時に調整することができる。第二クライアント端末装置１６は、第二制御コマンドに対応する画像を表示した後、ステップＳ４４を実行する。ステップＳ４４では、第二クライアント端末装置１６は、第二識別データに基づき第二カスタマークライアントアプリケーションプログラム、サーバー１０及び第一カスタマークライアントアプリケーションプログラムを利用して第二表示メッセージを第一クライアント端末装置１４に送信し、第二クライアント端末装置１６がその時表示している画像を第一クライアント端末装置１４に通知して、第二オンラインセッションがスムーズに進むようにする。続いて、ステップＳ４６が示すように、第一クライアント端末装置１４は、その表示している電子文書のウィンドウを閉じて第二オンラインセッションを終了するとき、第三識別データに基づいて第一カスタマークライアントアプリケーションプログラム、サーバー１０及び第二カスタマークライアントアプリケーションプログラムを利用して終了メッセージを第二クライアント端末装置１６に送信して、第二クライアント端末装置１６が表示している電子文書のウィンドウを閉じる。第二クライアント端末装置１６は、その表示している電子文書のウィンドウを閉じた後、ステップＳ４８を実行する。ステップＳ４８が示すように、第二クライアント端末装置１６は、第二識別データに基づき第二カスタマークライアントアプリケーションプログラム、サーバー１０及び第一カスタマークライアントアプリケーションプログラムを利用して応答メッセージを第一クライアント端末装置１４に送信して、第二クライアント端末装置１６が既に電子文書のウィンドウを閉じたことを第一クライアント端末装置１４に通知する。
【００３５】
スマートモバイルデバイス１２が電子文書のユーザー権限を共有モードに設定した場合、第一クライアント端末装置１４は、図４の流れしか実行できず、プレゼンテーションモード、読み取り専用モード又はセッション専用モードを実行することはできない。また、第一クライアント端末装置１４がユーザー権限を設定する際、共有モードは変更せずに維持できる。さらに、第一クライアント端末装置１４は、ユーザー権限を読み取り専用モード又はセッション専用モードに設定してもよい。スマートモバイルデバイス１２が電子文書のユーザー権限を読み取り専用モードに設定した場合、第一クライアント端末装置１４は、第一カスタマークライアントアプリケーションプログラムを実行して電子文書の内容を随時表示する。スマートモバイルデバイス１２が電子文書のユーザー権限を読み取り専用モードに設定した場合、第一カスタマークライアントアプリケーションプログラムは、第一オンラインセッション終了時に第一クライアント端末装置１４中の電子文書を自動的に削除する。
【００３６】
スマートモバイルデバイス１２は、サーバー１０を通じて電子文書を第二クライアント端末装置１６に送信することもできる。スマートモバイルデバイス１２と第一クライアント端末装置１４が同じ電子文書を第二クライアント端末装置１６に送信すると、第二クライアント端末装置１６は、スマートモバイルデバイス１２が送信した電子文書を使用するのか、又は第一クライアント端末装置１４が送信した文書を使用するのかを決定する必要がある。このため、スマートモバイルデバイス１２と第一クライアント端末装置１４は、ユーザー権限を設定できる以外に、ユーザー権限の優先権の置換関係も設定することができる。１種類目の置換関係では、電子文書の異なる優先権は相互に上書き（ｏｖｅｒｗｒｉｔｅ）できる。例えば、スマートモバイルデバイス１２が先にプレゼンテーションモードを有する電子文書を第二クライアント端末装置１６に送信し、その後第一クライアント端末装置１４が共有モードを有する電子文書を第二クライアント端末装置１６に送信したとする場合、第二クライアント端末装置１６は、より遅くダウンロードした共有モードを有する電子文書を使用して、プレゼンテーションモードを共有モードに上書きできることになる。２種類目の置換関係では、高い方の優先権を低い方の優先権に置換することしかできない。上述の例では、共有モードの優先権はプレゼンテーションモードの優先権より低いため、第二クライアント端末装置１６はより遅くダウンロードした共有モードを有する電子文書使用することになる。一方、例えば、スマートモバイルデバイス１２が先に共有モードを有する電子文書を第二クライアント端末装置１６に送信し、その後第一クライアント端末装置１４がプレゼンテーションモードを有する電子文書を第二クライアント端末装置１６に送信したとする場合、第二クライアント端末装置１６は、より早くダウンロードした共有モードを有する電子文書を使用することになる。３種類目の置換関係では、最初にダウンロードした電子文書の優先権を維持する。具体的には、第一クライアント端末装置１４又は第二クライアント端末装置１６は、第一カスタマークライアントアプリケーションプログラム又は第二カスタマークライアントアプリケーションプログラムを利用して最初にダウンロードした電子文書の優先権を維持する。例えば、スマートモバイルデバイス１２が先にプレゼンテーションモードを有する電子文書を第二クライアント端末装置１６に送信し、その後第一クライアント端末装置１４が共有モードを有する電子文書を第二クライアント端末装置１６に送信したとする場合、第二クライアント端末装置１６は、より早くダウンロードしたプレゼンテーションモードを有する電子文書を使用することになる。
【００３７】
上述の記載は本発明の好ましい実施例の説明に過ぎず、本発明の実施範囲を限定するものではない。したがって、本発明の特許請求の範囲内に記載された形状、構造、特徴及び精神に基づいてなされた各種の変更や潤色はすべて、本発明の特許請求の範囲内に含まれる。
【符号の説明】
【００３８】
１０  サーバー
１２  スマートモバイルデバイス
１４  第一クライアント端末装置
１６  第二クライアント端末装置
１８  ディスプレイ
２０  ディスプレイ
【図１】
2019204486.tif 000003
【図２】
2019204486.tif 000004
【図３】
2019204486.tif 000005
【図４】
2019204486.tif 000006
【図５】
2019204486.tif 000007